(57)【要約】      （修正有）【課題】分級対象粉末を微粉と粗粉に分級する分級装置また分級装置を備えた粉砕分級装置の一部である分級装置において分級装置の回転する分級ローターにより分級された微粉を外部に回収する為の導入管、いわゆる微粉管で、容易に洗浄が出来る微粉管の提案を目的とする。【解決手段】二重構造の微粉管を先端部や分級ハウジング１０に取り付ける部分にて内部側１２と外部側１３に分割出来る構造とすることで、分割部より容易に洗浄することが可能となった。【選択図】  図３
2006130491.tif 000002
【特許請求の範囲】
【請求項１】
粉体を微粉と粗粉に分級する分級装置の回転する分級ローターにより分級された微粉を外部に回収する為の導入管、いわゆる微粉管で、当該構造が微粉の通過する空間と、エアパージ用の気体の通過する空間を有する二重構造になっているものにおいて、分割出来る構造とした微粉管を備えた分級装置。
【請求項２】
粉体を微粉と粗粉に分級する分級装置の回転する分級ローターにより分級された微粉を外部に回収する為の導入管、いわゆる微粉管で、当該構造が微粉の通過する空間と、エアパージ用の気体の通過する空間を有する二重構造になっているものにおいて、分級ローターの向かい合う微粉管の先端部を取り外し可能とした請求項１記載の分級装置。
【請求項３】
粉体を微粉と粗粉に分級する分級装置の回転する分級ローターにより分級された微粉を外部に回収する為の導入管、いわゆる微粉管で、当該構造が微粉の通過する空間と、エアパージ用の気体の通過する空間を有する二重構造になっているものにおいて、微粉管の中間部に分割出来る構造を備えた請求項１記載の分級装置
【発明の詳細な説明】
【技術分野】
【０００１】本発明は、分級対象粉末を微粉と粗粉に分級する分級装置また分級装置を備えた粉砕分級装置の一部である分級装置に関するものである。
【背景技術】
【０００２】図１は従来の分級装置の分級部内部構造を示したものである。
分級機下方向側から粉砕され分級装置内部空間に分散された状態で上昇して来た粉体１、または分級のみを目的として供給され分級装置内部空間に分散された状態で上昇して来た粉体１は、回転している分級ローター２の分級作用を受け、粗粉は分級ローター内部に入る事は出来ず、下方に落下していき、再度粉砕の作用を受け再上昇してくるか、分級のみを目的とした場合は、粗粉として外部に捕集回収される。【０００３】一方、微粉３は気体といっしょに分級ローター２の分級ゾーンになる外周部から内部に入り、分級ローターの出口から装置外部への微粉の排出部分となる微粉管４の内部６を通過して、集塵機等の微粉回収装置へ導かれて行く。
この微粉管４の分級ローター２と向かい合う先端部５と回転する分級ローター２の出口部分との間には僅かな隙間がある。
微粉管４は二構造になっていて微粉が通過する空間６とは別に、別の気体を通過させる空間７が設けてある。【０００４】この空間に分級装置外部から強制的に気体を送り込み、回転する分級ローター２の出口と向かい合っている微粉管内部先端部５から分級ローター出口部に向って吐出される。
この強制的に供給吐出される気体によって、回転する分級ローターの出口と向かい合っている微粉管内部先端部５と分級ローターの出口部分との間の僅かな隙間から分級ローターによって分級作用を受けていない粉体が侵入する事を防ぐ仕組みになっている。
従来この二重構造の微粉管４は分割出来ない構造であった。【０００５】図２は従来の微粉管の図１に示す構造と微粉管内部先端部の構造を示したものである。
微粉管内部先端部は分級装置外部より強制的に送り込まれた気体が吐出する部分で、吐出する為の小さな穴８が多数設けてあるリング状の部品が取り付けてある。
従来、このリング状の部品も外せない構造であった。
【発明の開示】
【発明が解決しようとする課題】
【０００６】二重構造の微粉管は前述の通り、分級作用をまだ受けていない粉体が微粉として回収される微粉管内部への侵入を防ぐ為に、強制的に外部より気体を供給吐出させる構造であるが、分級装置の運転停止時等に、この外部より気体を供給吐出させる空間に粉体が侵入する事がある。
従来、この微粉管は分割出来ない構造の為、その二重構造の内部まで容易に洗浄が出来ない。
その為、分級運転を終え、分級装置の微粉管を洗浄した後、次に別の粉体の分級を行う際、この外部より気体を供給吐出させる空間に、前回運転を行った際に侵入した粉体が、次の異なった粉体に外部より供給吐出させた気体といっしょに異物として混入してしまう。
【課題を解決する為の手段】
【０００７】請求項１、請求項２及び請求項３の発明は、分級装置の回転する分級ローターで分級された微粉が分級装置の外部に導かれる二重構造の微粉管を分解出来る構造とした。
【発明の効果】
発明が解決しようとする課題に示した様に、微粉管を分割出来る構造とした事により、運転停止等に混入してしまった粉体を取り除く洗浄が容易に出来る様になる。
分級対象となる粉体を入れ替える際、いわゆる品替えにおいて異物混入となっていた別の粉体の混入を容易に防ぐ事を可能とした。
【本発明を実施するための最良の形態】
【０００８】図３は微粉管の中間部に分割出来る構造を備えた分級装置である。
分級装置ハウジング１０に取り付ける部分にて内部側１２と外部側１３に分割出来る構造とした。
微粉管内部６の微粉や気体が分割部より分級装置外部から強制的に気体を供給排出させる空間７の方へ侵入しない様、その分割接合部にはパッキン１１を設けた。
図４は図３の微粉管の中間部に分割出来る構造を備えた分級装置の微粉管を分割部より分割した状態を示した図である。
この様に分割した事により、内部側微粉管１２、外部側微粉管１３ともに、分割部より容易に洗浄する事が可能となった。
【００００９】図５は微粉管内部先端部５が取り外せる事が出来る構造を備えた分級装置で、微粉管内部先端部５を取り外した状態を示した図である。
この様に微粉管内部先端部を取り外し可能な構造とした事により、容易に洗浄する事が可能となった。
【符号の説明】
１      分級機下方向側から粉砕され分級装置内部空間に分散された状態で上昇して来た粉体、または分級のみを目的として供給され分級装置内部空間に分散された状態で上昇して来た粉体
２      分級ローター
３      分級ローターの分級作用を受け、分級された微粉
４      二構造になっている微粉管
５      二構造になっている微粉管の内部先端部
６      二構造になっている微粉管の微粉が通過する空間
７      二構造になっている微粉管の外部より強制的供給された気体を内部先端部より吐出する為に通過する空間
８      二構造になっている微粉管の内部先端部で、外部より強制的に供給された気体が分級ローター出口側に向かって吐出する穴
９      分級ローターを回転される為のモータ
１０    分級装置ハウジング
１１    二重構造になっている微粉管の中間部が分割する構造を備えた微粉管の、微粉管内部の微粉や気体が分割部より分級装置外部から強制的に気体を供給排出させる空間の方へ侵入しない様為に備えたパッキン
１２    二構造になっている微粉管の内部側
１３    二構造になっている微粉管の外部側
【図１】
2006130491.tif 000003
【図２】
2006130491.tif 000004
【図３】
2006130491.tif 000005
【図４】
2006130491.tif 000006
【図５】
2006130491.tif 000007
【手続補正書】
【提出日】平成17年1月14日(2005.1.14)
【手続補正１】
【補正対象書類名】明細書
【補正対象項目名】全文
【補正方法】変更
【補正の内容】
【発明の詳細な説明】
【技術分野】
【０００１】本発明は、分級対象粉末を微粉と粗粉に分級する分級装置また分級装置を備えた粉砕分級装置の一部である分級装置に関するものである。
【背景技術】
【０００２】図１は従来の分級装置の分級部内部構造を示したものである。
分級機下方向側から粉砕され分級装置内部空間に分散された状態で上昇して来た粉体１、または分級のみを目的として供給され分級装置内部空間に分散された状態で上昇して来た粉体１は、回転している分級ローター２の分級作用を受け、粗粉は分級ローター内部に入る事は出来ず、下方に落下していき、再度粉砕の作用を受け再上昇してくるか、分級のみを目的とした場合は、粗粉として外部に捕集回収される。【０００３】一方、微粉３は気体といっしょに分級ローター２の分級ゾーンになる外周部から内部に入り、分級ローターの出口から装置外部への微粉の排出部分となる微粉管４の内部６を通過して、集塵機等の微粉回収装置へ導かれて行く。
この微粉管４の分級ローター２と向かい合う先端部５と回転する分級ローター２の出口部分との間には僅かな隙間がある。
微粉管４は二構造になっていて微粉が通過する空間６とは別に、別の気体を通過させる空間７が設けてある。【０００４】この空間に分級装置外部から強制的に気体を送り込み、回転する分級ローター２の出口と向かい合っている微粉管内部先端部５から分級ローター出口部に向って吐出される。
この強制的に供給吐出される気体によって、回転する分級ローターの出口と向かい合っている微粉管内部先端部５と分級ローターの出口部分との間の僅かな隙間から分級ローターによって分級作用を受けていない粉体が侵入する事を防ぐ仕組みになっている。
従来この二重構造の微粉管４は分割出来ない構造であった。【０００５】図２は従来の微粉管の図１に示す構造と微粉管内部先端部の構造を示したものである。
微粉管内部先端部は分級装置外部より強制的に送り込まれた気体が吐出する部分で、吐出する為の小さな穴８が多数設けてあるリング状の部品が取り付けてある。
従来、このリング状の部品も外せない構造であった。
【発明の開示】
【発明が解決しようとする課題】
【０００６】二重構造の微粉管は前述の通り、分級作用をまだ受けていない粉体が微粉として回収される微粉管内部への侵入を防ぐ為に、強制的に外部より気体を供給吐出させる構造であるが、分級装置の運転停止時等に、この外部より気体を供給吐出させる空間に粉体が侵入する事がある。
従来、この微粉管は分割出来ない構造の為、その二重構造の内部まで容易に洗浄が出来ない。
その為、分級運転を終え、分級装置の微粉管を洗浄した後、次に別の粉体の分級を行う際、この外部より気体を供給吐出させる空間に、前回運転を行った際に侵入した粉体が、次の異なった粉体に外部より供給吐出させた気体といっしょに異物として混入してしまう。
【課題を解決する為の手段】
【０００７】請求項１、請求項２及び請求項３の発明は、分級装置の回転する分級ローターで分級された微粉が分級装置の外部に導かれる二重構造の微粉管を分解出来る構造とした。
【発明の効果】
発明が解決しようとする課題に示した様に、微粉管を分割出来る構造とした事により、運転停止等に混入してしまった粉体を取り除く洗浄が容易に出来る様になる。
分級対象となる粉体を入れ替える際、いわゆる品替えにおいて異物混入となっていた別の粉体の混入を容易に防ぐ事を可能とした。
【本発明を実施するための最良の形態】
【０００８】図３は微粉管の中間部に分割出来る構造を備えた分級装置である。
分級装置ハウジング１０に取り付ける部分にて内部側１２と外部側１３に分割出来る構造とした。
微粉管内部６の微粉や気体が分割部より分級装置外部から強制的に気体を供給排出させる空間７の方へ侵入しない様、その分割接合部にはパッキン１１を設けた。
図４は図３の微粉管の中間部に分割出来る構造を備えた分級装置の微粉管を分割部より分割した状態を示した図である。
この様に分割した事により、内部側微粉管１２、外部側微粉管１３ともに、分割部より容易に洗浄する事が可能となった。
【００００９】図５は微粉管内部先端部５が取り外せる事が出来る構造を備えた分級装置で、微粉管内部先端部５を取り外した状態を示した図である。
この様に微粉管内部先端部を取り外し可能な構造とした事により、容易に洗浄する事が可能となった。
【図面の簡単な説明】
【図１】微粉と粗粉が分級されている状態を示した分級装置の断面図
【図２】微粉管の断面図と分級ローターと向かい合う微粉管の先端部の正面図８
【図３】分割出来る微粉管を備えた分装置の微粉管を組み立てた状態を示した断面図
【図４】分割出来る微粉管を備えた分装置の微粉管を分割した状態を示した断面図
【図５】分級ローターと向かい合う微粉管の先端部を取り外し可能とした分級装置の先端部を取り外した状態を示した断面図とその先端部の側面図５と正面図８
【符号の説明】
１      分級機下方向側から粉砕され分級装置内部空間に分散された状態で上昇して来た粉体、または分級のみを目的として供給され分級装置内部空間に分散された状態で上昇して来た粉体
２      分級ローター
３      分級ローターの分級作用を受け、分級された微粉
４      二構造になっている微粉管
５      二構造になっている微粉管の内部先端部
６      二構造になっている微粉管の微粉が通過する空間
７      二構造になっている微粉管の外部より強制的供給された気体を内部先端部より吐出する為に通過する空間
８      二構造になっている微粉管の内部先端部で、外部より強制的に供給された気体が分級ローター出口側に向かって吐出する穴
９      分級ローターを回転される為のモータ
１０    分級装置ハウジング
１１    二重構造になっている微粉管の中間部が分割する構造を備えた微粉管の、微粉管内部の微粉や気体が分割部より分級装置外部から強制的に気体を供給排出させる空間の方へ侵入しない様為に備えたパッキン
１２    二構造になっている微粉管の内部側
１３    二構造になっている微粉管の外部側